(57)【特許請求の範囲】
【請求項１】
浴水を循環させるための循環ポンプと、浴水を加熱する加熱ヒーターと、微細なごみ及び汚れなる不純物を浴水から濾過する浄化フィルタと、波長１８５ｎｍ、２５４ｎｍの紫外線が発生する殺菌ランプ又は該ランプを収納保護する保護管を設けた殺菌装置とを循環管路に備え、前記殺菌ランプの外皮及び該殺菌ランプを保護する保護管の材質を石英とし、前記殺菌装置の後側位置に、破片を収拾するストレーナを設けて、前記殺菌ランプ又は前記保護管が破損した破片を前記ストレーナに収拾されるように構成されていることを特徴とする２４時間浄化保温装置の殺菌装置。
【発明の詳細な説明】
【０００１】
【発明の属する技術分野】
本発明は、オゾンを有効利用して、殺菌効率が優れたものにできる２４時間浄化保温装置の殺菌装置に関する。
【０００２】
【従来の技術】
従来の２４時間浄化保温装置に設けた殺菌装置では、オゾン発生手段を用いたり、紫外線を発生させる殺菌ランプが用いられている。具体的には、その殺菌ランプは波長２５４nmの殺菌線を主とする分光分布特性を有する「オゾンレスタイプ」と呼ばれる殺菌ランプが用いられている。
【０００３】
【発明が解決しようとする課題】
しかしながら、そのような「オゾンレスタイプ」の殺菌ランプでは、波長１８５nmをカットするために、ランプ材質には「紫外線透過ガラス」を用いるため、紫外線エネルギーによりガラスが失透し透過率が低下する欠点があった。また、殺菌線と呼ばれる波長２５４nmを主とする波長のみの照射なので殺菌効果しか期待できず、有機物処理能力に劣っている。
【０００４】
【課題を解決するための手段】
そこで発明者は、前記課題を解決することを目的とし、鋭意，研究を重ねた結果、その発明を、浴水を循環させるための循環ポンプと、浴水を加熱する加熱ヒーターと、微細なごみ及び汚れなる不純物を浴水から濾過する浄化フィルタと、波長１８５ｎｍ、２５４ｎｍの紫外線が発生する殺菌ランプ又は該ランプを収納保護する保護管を設けた殺菌装置とを循環管路に備え、前記殺菌ランプの外皮及び該殺菌ランプを保護する保護管の材質を石英とし、前記殺菌装置の後側位置に、破片を収拾するストレーナを設けて、前記殺菌ランプ又は前記保護管が破損した破片を前記ストレーナに収拾されるように構成されていることを特徴とする２４時間浄化保温装置の殺菌装置としたことにより、オゾンを有効利用して、殺菌効率が優れたものにでき、前記の課題を解決したものである。
【０００５】
【発明の実施の形態】
以下、図面に基づいて実施の形態を説明すると、図１において、浴水浄化循環装置は、主に、浴水を循環させるための循環ポンプ１と、浴水を加熱するシーズヒーター等の加熱ヒーター２と、微細なごみ及び汚れなる不純物を浴水から濾過する浄化フィルタ３と、浴水を殺菌する殺菌装置Ａとから構成されている。その循環ポンプ１，浄化フィルタ３，加熱ヒーター２は、浴槽１１に対して、浴水が循環するように設けた循環管路７にその順に直列に設けられている。
【０００６】
前記浄化フィルタ３は、種類としては、精密浄化フィルタ又は普通浄化フィルタであり、活性石，活性炭を充填したものとして吸着剤濾材浄化フィルタ材として使用したり、或いは、織布又は不織布からなり浄化フィルタ素材から構成するものもある。何れにしても、微細なごみ及び汚れなる不純物を除去するものである。
【０００７】
前記殺菌装置Ａとしては、内部に殺菌ランプ４より構成されている。具体的には、ランプケーシング５内に、冷陰極タイプ及び熱陰極タイプの殺菌ランプ４が適宜取り付けられている。該殺菌ランプ４は、保護管６にて保護されている。また、殺菌ランプ４の外被の材質及び保護管６の材質は、石英にて構成されている。この石英では、波長１８５nmの電磁波（紫外線）が、石英に吸収されることがなく、即ち、失透による透過率の低下が少なくなって、外部に有効なる紫外線が照射される。前記殺菌ランプ４及び保護管６の基部箇所の前記ランプケーシング５には、保護管割れ検出手段９の端子が設けられ、前記殺菌ランプ４が破損等した場合を温度検出にて検出可能に構成されている。また、浴水は、前記ランプケーシング５の一側の流入口５ａより流入し、前記保護管６の外を流れ、殺菌ランプ４の照射を受けながら、前記ランプケーシング５の他側の流出口５ｂより流出するように構成されている。
【０００８】
前記殺菌ランプ４からは、波長１８５nm，２５４nmの紫外線が照射されるように構成されている。その波長１８５nmでは、酸素からオゾンを生成（▲１▼、▲２▼式）する。
【０００９】
【化学式１】
Ｏ2 （波長１８５nm）→  Ｏ＋Ｏ    （▲１▼式）
Ｏ＋Ｏ2             →  Ｏ3       （▲２▼式）
【００１０】
さらに波長２５４nmはオゾンを分解して活性酸素を生成（▲３▼式）するため、浴水中の有機物を速やかに酸化分解することができる。
【００１１】
【化学式２】
Ｏ3 （波長２５４nm）→  Ｏ2 ＋Ｏ  （▲３▼式）
【００１２】
次に、このような殺菌装置Ａを設けた浴水の循環系統としては、図１に示すように、まず、前記循環管路７において、前記浄化フィルタ３の前側位置に殺菌装置Ａが設られ、且つ循環ポンプ１の循環方向は殺菌装置Ａ側より浄化フィルタ３側に流出するようにして構成されている。
【００１３】
また、別の実施の形態の浴水の循環系統としては、図５に示すように、まず、前記循環管路７において、前記浄化フィルタ３の後側位置に殺菌装置Ａが設られ、且つ循環ポンプ１の循環方向は浄化フィルタ３側より殺菌装置Ａ側に流出するようにしてなり、さらに、殺菌装置Ａの後側位置に、破片等を収拾するストレーナ８が設けられて構成されている。該ストレーナ８は、図２に示すように、前記殺菌装置Ａのランプケーシング５の流出口５ｂ箇所に設けることもある。
【００１４】
殺菌装置Ａの殺菌ランプ４をＯＮにしている状態においては、図３に示すように、細菌の細胞膜，細防壁の破損ができ、その内部のＤＮＡの損傷，さらには、オゾンの生成，分解が極めて単時間に繰り返し繰り返しでき、常に、浴水の殺菌作用ができる。特に、破壊と分解とが相互にでき、従来の波長２５４nmのみを使用したオゾンレス管による殺菌作用とは比較して、本発明のオゾン管による殺菌効率が格段と優れたものにできる。
【００１５】
また、前記殺菌ランプ４を冷陰極タイプとすると、電気的な寿命が高い。即ち、ランプ寿命は１万乃至１万５千時間となりうる。これを取り付けた２４時間浄化保温装置では、正に、２４時間使用するため、常時使用していることと、常時殺菌作用を施すことが相乗的に殺菌効率にも大きく影響することで、寿命が長いとメインテナンスの面で有利となるし、装置のコストも低減化できる。また、前記殺菌ランプ４を熱陰極タイプとすると、電気的な寿命は確かに短くなるが、これをタイマー制御等には、通電，非通電と繰り返して使用することで、寿命の点は増加できるし、その殺菌効果の点でも対応できる。また、図中１２は吸入部、１３はジェットノズルを有する排出部、１４は、前記循環管路７の途中箇所を結合する結合管、１５は電磁弁、１６はエジェクタ、１７はオゾン等の戻り配管である。
【００１６】
なお、前記殺菌装置Ａを循環管路７において前記浄化フィルタ３の前側位置に設け、且つ循環ポンプ１の循環方向は殺菌装置Ａ側より浄化フィルタ３側に流出するようにすると、万が一、殺菌装置Ａの殺菌ランプ４又は保護管６が破損した片等は、該浄化フィルタ３に捕集され、浴槽１１内には流出せず、安全なる入浴ができるし、浄化フィルタ３を通過して活性な酸素を多く含んだ浴水がすぐに濾材（活性炭）を通過するので、活性炭の吸着濾過能力が促進される利点がある。
【００１７】
また、通常では、前記殺菌装置Ａの殺菌ランプ４が何等かの原因にて破損等した場合には、その循環管路７内の浴水に混入して浴槽１１内に流れようとするが、前記殺菌装置Ａを循環管路７において前記浄化フィルタ３の後側位置に設け、且つ循環ポンプ１の循環方向は浄化フィルタ３側より殺菌装置Ａ側に流出するようにしてなり、前記殺菌装置Ａの後側位置に、破片等を収拾するストレーナ８を設ければ、万が一、殺菌装置Ａの殺菌ランプ４又は保護管６が破損した片等は、ストレーナ８に収拾され、浴槽１１内には流出せず、安全なる入浴ができる利点がある。
【００１８】
【実施例】
本発明の殺菌装置Ａの殺菌ランプ４のオゾン管と、オゾンレス管（公知技術）によるＣＯＤ除去試験を行なった。浴水温度（検水）４０℃で、１Ｌ（クエン酸ナトリウム）を入れ、エア流量が０．２５Ｌ／min で、オゾン管の１０ｗにて、波長１８５nm, ２５４nmの紫外線（電磁波）を浴水に照射して行なった。この場合の結果は、図４のグラフでは、◇の印で表示した。オゾンレス管の１０ｗの実験では、浴水条件は同じで、波長２５４nm電磁波（紫外線）のみを浴水に照射して行なった。この場合の結果は、図４のグラフでは、□の印で表示した。
【００１９】
このような実験結果では、オゾン管（本発明）では、初め、浴水のＣＯＤが８ＣＯＤ（ｐｐｍ）であったものが、処理時間と共に、正比例的に確実に減少し、６時間後には、０ＣＯＤ（ｐｐｍ）となった。しかるに、オゾンレス管（公知技術）では、初め、浴水のＣＯＤが８ＣＯＤ（ｐｐｍ）であったものが、処理時間の１時間後でも、殆ど変化せず、２時間後に、７ＣＯＤ（ｐｐｍ）となり、１ＣＯＤ（ｐｐｍ）のみ減少したが、その後、処理時間が経過しても、即ち、７時間後でも、２時間後の７ＣＯＤ（ｐｐｍ）と同一の値となっており、殺菌処理が全く行なわれていないことが分かる。これによって、オゾンレス管（公知技術）では、浴水のＣＯＤの殺菌に対しては殆ど効果のないことが分かる。
【００２０】
【発明の効果】
請求項１の発明では、前記殺菌ランプ４の外皮及び該殺菌ランプ４を保護する保護管６の材質を石英としてなる２４時間浄化保温装置の殺菌装置としたことにより、特に、波長１８５nmの紫外線が、石英に吸収されることがなく、即ち、失透による透過率の低下が少なくなって、外部に有効なる紫外線が照射され、殺菌効率を向上させ得る。さらに、前記殺菌装置Ａを循環管路７において前記浄化フィルタ３の後側位置に設け、且つ循環ポンプ１の循環方向は浄化フィルタ３側より殺菌装置Ａ側に流出するようにしてなり、前記殺菌装置Ａの後側位置に、破片等を収拾するストレーナ８を設けたので、万が一、殺菌装置Ａの殺菌ランプ４又は保護管６が破損した片等は、ストレーナ８に収拾され、浴槽１１内には流出せず、安全なる入浴ができる利点がある。
【図面の簡単な説明】
【図１】本発明の実施の形態を略示した概略図
【図２】（Ａ）は殺菌装置の実施の形態の拡大断面図
（Ｂ）は殺菌装置の別の実施の形態の要部拡大断面図
【図３】本発明による細菌の破壊，分解の作用状態を示す概念図
【図４】オゾン管によるＣＯＤ除去試験とオゾンレス管とによるＣＯＤ除去試験とを比較したグラフ
【図５】別の実施の形態を略示した概略図
【符号の説明】
Ａ…殺菌装置
１…循環ポンプ
２…加熱ヒーター
３…浄化フィルタ
４…殺菌ランプ
６…保護管
【図１】
0003695850.tif 000002
【図２】
0003695850.tif 000003
【図３】
0003695850.tif 000004
【図４】
0003695850.tif 000005
【図５】
0003695850.tif 000006